(57)【特許請求の範囲】
【請求項１】
コンテンツのファイルを再生するコンテンツ再生手段を備えたコンテンツ再生装置において、
コンテンツに付されている名称を参照して、名称に時刻情報を含む時刻情報付コンテンツを検出する時刻付再生対象検出手段と、
上記時刻付再生対象検出手段にて時刻情報付コンテンツが検出されると、該時刻情報付コンテンツを、当該名称に含まれる時刻情報の時刻に上記コンテンツ再生手段にて再生させる再生指示手段とを含み、
上記時刻付再生対象検出手段は、コンテンツのファイルの名称、あるいはコンテンツのファイルを格納したフォルダの名称を参照して、名称に時刻情報を含む時刻情報付ファイルあるいは時刻情報付フォルダを上記時刻情報付コンテンツとして検出し、
上記再生指示手段は、上記時刻付再生対象検出手段にて時刻情報付ファイルあるいは時刻情報付フォルダが検出されると、時刻情報付ファイルあるいは時刻情報付フォルダ内のコンテンツのファイルを、名称に含まれる時刻情報の時刻に上記コンテンツ再生手段にて再生させ、
上記コンテンツのファイルあるいはコンテンツのファイルが格納されたフォルダはルートフォルダ内の直下に格納されており、
上記再生指示手段は、時刻付再生対象検出手段にて時刻情報付ファイルあるいは時刻情報付フォルダが検出されなかった場合には、上記ルートフォルダ内の直下に格納されている、名称に時刻情報を含まない他のコンテンツのファイルを上記コンテンツ再生手段にて再生させることを特徴とするコンテンツ再生装置。
【請求項２】
コンテンツのファイルを再生するコンテンツ再生手段を備えたコンテンツ再生装置において、
コンテンツに付されている名称を参照して、名称に時刻情報を含む時刻情報付コンテンツを検出する時刻付再生対象検出手段と、
上記時刻付再生対象検出手段にて時刻情報付コンテンツが検出されると、該時刻情報付コンテンツを、当該名称に含まれる時刻情報の時刻に上記コンテンツ再生手段にて再生させる再生指示手段とを含み、
上記時刻付再生対象検出手段は、コンテンツのファイルの名称、あるいはコンテンツのファイルを格納したフォルダの名称を参照して、名称に時刻情報を含む時刻情報付ファイルあるいは時刻情報付フォルダを上記時刻情報付コンテンツとして検出し、
上記再生指示手段は、上記時刻付再生対象検出手段にて時刻情報付ファイルあるいは時刻情報付フォルダが検出されると、時刻情報付ファイルあるいは時刻情報付フォルダ内のコンテンツのファイルを、名称に含まれる時刻情報の時刻に上記コンテンツ再生手段にて再生させ、
上記コンテンツのファイルあるいはコンテンツのファイルが格納されたフォルダはルートフォルダ内の直下に格納されており、
上記再生指示手段は、時刻付再生対象検出手段にて検出された時刻情報付ファイルあるいは時刻情報付フォルダ内のコンテンツのファイルを、名称に含まれる時刻情報の時刻に再生するまでの間に、上記ルートフォルダ内の直下に格納されている、名称に時刻情報を含まない他のコンテンツのファイルをコンテンツ再生手段にて再生させることを特徴とするコンテンツ再生装置。
【請求項３】
上記時刻情報付フォルダ内、あるいは時刻情報付フォルダおよびルートフォルダ内のコンテンツのファイルの名称には、該当するフォルダ内のファイルの再生順を指定する番号情報が含まれており、
上記時刻情報付フォルダ内、あるいは時刻情報付フォルダおよびルートフォルダ内のコンテンツのファイルの名称を参照して、該当するフォルダ内のファイルの再生順を検出する再生順検出手段を有することを特徴とするファイル再生順検出手段を有する請求項１又は２に記載のコンテンツ再生装置。
【請求項４】
上記時刻情報付フォルダ内、あるいは時刻情報付フォルダおよびルートフォルダ内には、コンテンツの画像ファイルと、これに対応付けられたコンテンツの音ファイルとが格納され、対応する画像ファイルと音ファイルの各名称には、互いを特定し得る識別情報が含まれており、
上記コンテンツ再生手段は、再生する画像ファイルの名称を参照し、名称に含まれる識別情報に基づいて、対応する音ファイルを選択し、画像ファイルに同期させて音ファイルを再生することを特徴とする請求項１から３の何れか１項に記載のコンテンツ再生装置。
【請求項５】
上記コンテンツ再生手段は、上記時刻情報付フォルダ内、あるいは時刻情報付フォルダおよびルートフォルダ内のコンテンツのファイルを繰り返し再生するモードと、１回のみ再生するモードとを有していることを特徴とする請求項１から４の何れか１項に記載のコンテンツ再生装置。
【請求項６】
コンテンツのファイルを再生するコンテンツ再生方法において、
コンテンツに付されている名称を参照して、名称に時刻情報を含む時刻情報付コンテンツを検出する時刻付再生対象検出ステップと、
上記時刻付再生対象検出ステップにて時刻情報付コンテンツが検出されると、該時刻情報付コンテンツを、当該名称に含まれる時刻情報の時刻に再生するコンテンツ再生ステップとを含み、
上記時刻付再生対象検出ステップでは、コンテンツのファイルの名称、あるいはコンテンツのファイルを格納したフォルダの名称を参照して、名称に時刻情報を含む時刻情報付ファイルあるいは時刻情報付フォルダを上記時刻情報付コンテンツとして検出し、
上記コンテンツ再生ステップでは、上記時刻付再生対象検出ステップにて時刻情報付ファイルあるいは時刻情報付フォルダが検出されると、時刻情報付ファイルあるいは時刻情報付フォルダ内のコンテンツのファイルを、名称に含まれる時刻情報の時刻に再生し、
上記コンテンツのファイルあるいはコンテンツのファイルが格納されたフォルダはルートフォルダ内の直下に格納されており、
上記コンテンツ再生ステップでは、時刻付再生対象検出ステップにて時刻情報付ファイルあるいは時刻情報付フォルダが検出されなかった場合には、上記ルートフォルダ内の直下に格納されている、名称に時刻情報を含まない他のコンテンツのファイルを再生することを特徴とするコンテンツ再生方法。
【請求項７】
コンテンツのファイルを再生するコンテンツ再生方法において、
コンテンツに付されている名称を参照して、名称に時刻情報を含む時刻情報付コンテンツを検出する時刻付再生対象検出ステップと、
上記時刻付再生対象検出ステップにて時刻情報付コンテンツが検出されると、該時刻情報付コンテンツを、当該名称に含まれる時刻情報の時刻に再生するコンテンツ再生ステップとを含み、
上記時刻付再生対象検出ステップでは、コンテンツのファイルの名称、あるいはコンテンツのファイルを格納したフォルダの名称を参照して、名称に時刻情報を含む時刻情報付ファイルあるいは時刻情報付フォルダを上記時刻情報付コンテンツとして検出し、
上記コンテンツ再生ステップでは、上記時刻付再生対象検出ステップにて時刻情報付ファイルあるいは時刻情報付フォルダが検出されると、時刻情報付ファイルあるいは時刻情報付フォルダ内のコンテンツのファイルを、名称に含まれる時刻情報の時刻に再生し、
上記コンテンツのファイルあるいはコンテンツのファイルが格納されたフォルダはルートフォルダ内の直下に格納されており、
上記コンテンツ再生ステップでは、時刻付再生対象検出ステップにて検出された時刻情報付ファイルあるいは時刻情報付フォルダ内のコンテンツのファイルを、名称に含まれる時刻情報の時刻に再生するまでの間に、上記ルートフォルダ内の直下に格納されている、名称に時刻情報を含まない他のコンテンツのファイルを再生することを特徴とするコンテンツ再生方法。
【請求項８】
請求項１から５の何れか１項に記載のコンテンツ再生装置を動作させるプログラムであって、コンピュータを上記の各手段として機能させるためのプログラム。
【発明の詳細な説明】
【技術分野】
【０００１】
本発明は、コンテンツを指定された時刻に再生するコンテンツ再生装置に関する。
【背景技術】
【０００２】
静止画や動画、文字情報、あるいは音楽などのコンテンツを再生するコンテンツ再生装置が普及している。コンテンツ再生装置においては、動画や静止画を再生することはもちろんのこと、複数の静止画をスライドショーとして再生するものや、動画から時間軸に沿って複数の静止画を抽出して、サムネイル表示するものなどもある。
【０００３】
コンテンツ再生装置は、内蔵式や着脱式のＨＤＤ等の記憶装置内に格納されているコンテンツ（コンテンツデータ）を始め、コンテンツ再生装置に挿入された、ＵＳＢメモリや、ＳＤ−ＣＡＲＤ、ＣＦ−ＣＡＲＤ、ＰＣＭＣＩＡ−ＣＡＲＤ、或いはＤＶＤ、ＢＤ等の可搬型記録媒体に格納されたコンテンツを再生する。
【０００４】
また、コンテンツ再生装置には、記憶装置内に格納されているコンテンツを、指定された時刻に再生するスケジュール機能（ソフトウエア）を搭載したものもある。これによれば、再生するコンテンツに対応付けて開始時刻を指定しておくことで、指定された時刻に上記コンテンツを自動的に再生させることができる。また、再生の間隔を指定しておくことで、指定した間隔で繰り返し再生させることができる。
【０００５】
また、特許文献１には、メモリ内のコンテンツを指定順序で自動的に再生させる技術が記載されている。これによれば、再生するファイル名とその実行開始時間を、再生する順番に記憶させてタイムテーブル作成する。そして、タイムテーブルにしたがって、メモリに格納されている音声ファイルおよび画像ファイルを再生する。
【先行技術文献】
【特許文献】
【０００６】
【特許文献１】特開平１１−２９８８３４号公報（平成１１年１０月２９日公開）
【発明の概要】
【発明が解決しようとする課題】
【０００７】
しかしながら、従来のコンテンツ再生装置に備えられているスケジュール機能（ソフトウエア）では、可搬型記録媒体内のコンテンツについては、指定時刻に自動的に再生することができるようにはなっていない。
【０００８】
そのため、ユーザは、可搬型記録媒体内のコンテンツをある時刻に再生させるには、その時刻がくると、その都度コンテンツ再生装置まで出向いて可搬型記録媒体をセットして、可搬型記録媒体内の再生させたいコンテンツが格納されているフォルダやファイルを指定する必要がある。
【０００９】
しかしながら、再生させたい時刻にその都度コンテンツ装置まで出向いて再生させたいコンテンツのフォルダやファイルを指定するのは、ユーザに対して煩雑な作業を強いることとなる。
【００１０】
また、可搬型記録媒体内のコンテンツを、コンテンツ再生装置の記憶装置にダウンロードすることで、スケジュール機能を使用することはできる。しかしながら、一々、ダウンロードして、開始時刻、再生の間隔を指定するのは、ユーザにとって面倒な作業に他ならない。
【００１１】
しかも、スケジュール機能を用いてコンテンツを再生すること自体、手間のかかる設定が必要であり、コンテンツ再生装置の記憶装置に格納されているコンテンツを含めて、もっと簡単に指定時刻に自動的に再生することができる技術の開発が求められている。
【００１２】
また、特許文献１に記載された技術を用いて、指定時刻に自動的に再生させるには、指定時刻が、実行開始を指示してからの経過時間に相当する実行開始時間となるように、実行開始を指示する必要がある。そのため、コンテンツを指定時刻に自動的に再生する手法としては、実用的ではない。
【００１３】
さらに、特許文献１に記載された技術では、アプリケーションから再生するコンテンツを設定するようになっているので、多くのコンテンツが存在する場合、設定されたコンテンツと、設定されていないコンテンツとを容易に確認することができない。そのため、必要なコンテンツに対して設定を忘れてしまうといった可能性もある。
【００１４】
本願発明の目的は、煩雑な作業を必要とすることなく、簡単に、所望する時間に、可搬型記録媒体やコンテンツ再生装置の記憶装置に格納されているコンテンツを再生することができるコンテンツ再生装置、コンテンツ再生方法、コンテンツ再生プログラム、および記録媒体を提供することにある。
【課題を解決するための手段】
【００１５】
本発明のコンテンツ再生装置は、上記の課題を解決するために、コンテンツのファイルを再生するコンテンツ再生手段を備えたコンテンツ再生装置において、コンテンツに付されている名称を参照して、名称に時刻情報を含む時刻情報付コンテンツを検出する時刻付再生対象検出手段と、上記時刻付再生対象検出手段にて時刻情報付コンテンツが検出されると、該時刻情報付コンテンツを、当該名称に含まれる時刻情報の時刻に上記コンテンツ再生手段にて再生させる再生指示手段とを含むことを特徴としている。
【００１６】
コンテンツの付された名称としては、例えば、コンテンツのファイルの名称や、コンテンツのファイルを格納したフォルダの名称を挙げることができる。
【００１７】
この場合、上記時刻付再生対象検出手段は、コンテンツのファイルの名称、あるいはコンテンツのファイルを格納したフォルダの名称を参照して、名称に時刻情報を含む時刻情報付ファイルあるいは時刻情報付フォルダを上記時刻情報付コンテンツとして検出し、上記再生指示手段は、上記時刻付再生対象検出手段にて時刻情報付ファイルあるいは時刻情報付フォルダが検出されると、時刻情報付ファイルあるいは時刻情報付フォルダ内のコンテンツのファイルを、名称に含まれる時刻情報の時刻に上記コンテンツ再生手段にて再生させる。
【００１８】
上記構成では、時刻付再生対象検出手段が、コンテンツの名称である、ファイルの名称や、コンテンツのファイルが格納されたフォルダの名称を参照して、名称に時刻情報を含む時刻情報付ファイルあるいは時刻情報付フォルダを、時刻情報付コンテンツとして検出する。ここで、コンテンツは、例えば、可搬型記録媒体や、コンテンツ再生装置の記憶装置（内蔵式、着脱式）に格納されている。そして、再生指示手段は、時刻情報付ファイルあるいは時刻情報付フォルダが検出されると、時刻付再生対象検出手段にて検出された時刻情報付ファイルあるいは時刻情報付フォルダ内のコンテンツのファイルを、名称に含まれる時刻情報の時刻に上記コンテンツ再生手段にて再生させる。
【００１９】
したがって、可搬型記録媒体やコンテンツ再生装置の記憶装置に格納される、コンテンツのファイルの名称、あるいは、コンテンツのファイルを格納したフォルダの名称に、コンテンツを再生させたい時刻情報を含めるだけで、ユーザの所望する指定の時刻に、可搬型記録媒体やコンテンツ再生装置の記憶装置に格納されているコンテンツを自動再生させることが可能となる。
【００２０】
従来の構成では、ユーザの所望する指定の時刻に、可搬型記録媒体内のコンテンツを自動再生させるには、再生させたい時刻にその都度コンテンツ再生装置まで出向いて再生させたいコンテンツのフォルダやファイルを指定したり、可搬型記録媒体内のコンテンツを、コンテンツ再生装置の記憶装置にダウンロードした上でスケジュール機能を使用したりする必要があった。しかも、ケジュール機能を用いてコンテンツを再生すること自体、手間のかかる設定が必要であり、コンテンツ再生装置の記憶装置に格納されているコンテンツを含めて、もっと簡単に指定時刻に自動的に再生することが望まれていた。
【００２１】
これに対し、上記構成では、ユーザに煩雑な作業を強いることなく、可搬型記録媒体やコンテンツ再生装置の記憶装置に格納される、再生させたいコンテンツのファイル名称を、時刻情報を含むように変更したり、名称に時刻情報を含むフォルダを作成し、このフォルダに再生させたいコンテンツのファイルを格納したりするといった作業だけで、ケジュール機能を用いたりすることなく、簡単に所望する時刻に、可搬型記録媒体やコンテンツ再生装置の記憶装置に格納されたコンテンツを自動再生させることができるので、コンテンツ再生装置としての利便性を大幅に向上させることができる。
【００２２】
本発明のコンテンツ再生装置は、さらに、上記コンテンツのファイルあるいはコンテンツのファイルが格納されたフォルダはルートフォルダ内の直下に格納されており、上記再生指示手段は、時刻付再生対象検出手段にて時刻情報付ファイルあるいは時刻情報付フォルダが検出されなかった場合には、上記ルートフォルダ内の直下に格納されている、名称に時刻情報を含まない他のコンテンツのファイルを上記コンテンツ再生手段にて再生させる構成とすることもできる。
【００２３】
上記構成では、コンテンツのファイルあるいはコンテンツのファイルが格納されたフォルダは、ルートフォルダ内の直下に格納されている。ルートフォルダは、可搬型記録媒体やコンテンツ再生装置の記憶装置の最上層のフォルダである。
【００２４】
再生指示手段は、時刻付再生対象検出手段にて時刻情報付ファイルあるいは時刻情報付フォルダが検出されなかった場合には、上記ルートフォルダ内の直下に格納されている、名称に時刻情報を含まない他のコンテンツのファイルをコンテンツ再生手段にて再生させる。
【００２５】
これにより、時刻情報付ファイルや時刻情報付フォルダが含まれていなかった場合にも、ルートフォルダ内の直下に格納されている、名称に時刻情報を含まない他のコンテンツのファイルが再生されるので、コンテンツ再生装置の利便性を向上できる。
【００２６】
本発明のコンテンツ再生装置は、さらに、上記コンテンツのファイルあるいはコンテンツのファイルが格納されたフォルダはルートフォルダ内の直下に格納されており、上記再生指示手段は、時刻付再生対象検出手段にて検出された時刻情報付ファイルあるいは時刻情報付フォルダ内のコンテンツのファイルを、名称に含まれる時刻情報の時刻に再生するまでの間に、上記ルートフォルダ内の直下に格納されている、名称に時刻情報を含まない他のコンテンツのファイルをコンテンツ再生手段にて再生させる構成とすることもできる。
【００２７】
上記構成では、コンテンツのファイルあるいはコンテンツのファイルが格納されたフォルダは、ルートフォルダ内の直下に格納されている。ルートフォルダは、可搬型記録媒体やコンテンツ再生装置の記憶装置の最上層のフォルダである。
【００２８】
再生指示手段は、時刻付再生対象検出手段にて検出された時刻情報付ファイルあるいは時刻情報付フォルダ内のコンテンツのファイルを、名称に含まれる時刻情報の時刻に再生するまでの間に、上記ルートフォルダ内の直下に格納されている、名称に時刻情報を含まない他のコンテンツのファイルをコンテンツ再生手段にて再生させる。
【００２９】
これにより、時刻情報付ファイルや時刻情報付フォルダ内のファイルを再生する指定時刻に到達するまでの間の時間も、上記ルートフォルダ内の直下に格納されている、名称に時刻情報を含まない他のコンテンツのファイルが再生されるので、指定時刻に到達するまでの時間についても、コンテンツ再生が可能となり、コンテンツ再生装置の利便性を向上できる。
【００３０】
本発明のコンテンツ再生装置は、さらに、上記時刻情報付フォルダ内、あるいは時刻情報付フォルダおよびルートフォルダ内のコンテンツのファイルの名称には、該当するフォルダ内のファイルの再生順を指定する番号情報が含まれており、上記時刻情報付フォルダ内、あるいは時刻情報付フォルダおよびルートフォルダ内のコンテンツのファイルの名称を参照して、該当するフォルダ内のファイルの再生順を検出する再生順検出手段を有する構成とすることもできる。
【００３１】
上記構成では、時刻情報付フォルダ内、あるいは時刻情報付フォルダおよびルートフォルダ内のコンテンツのファイルの名称に、該当するフォルダ内におけるファイルの再生順を指定する番号情報が含まれている。
【００３２】
ファイル再生順検出手段は、上記時刻情報付フォルダ内、あるいは時刻情報付フォルダおよびルートフォルダ内のコンテンツのファイルの名称を参照して、該当するフォルダ内におけるファイルの再生順を検出する。
【００３３】
これにより、時刻情報付フォルダやルートフォルダ内に複数のコンテンツのファイルを格納しておき、これを順に再生させたい場合に、再生順も簡単に指定することが可能となる。静止画をスライドショー再生する場合など、スライドショー再生される静止画の順番を簡単に指定することができ、再生順の変更も容易に行うことができる。
【００３４】
本発明のコンテンツ再生装置は、さらに、上記時刻情報付フォルダ内、あるいは時刻情報付フォルダおよびルートフォルダ内には、コンテンツの画像ファイルと、これに対応付けられたコンテンツの音ファイルとが格納され、対応する画像ファイルと音ファイルの各名称には、互いを特定し得る識別情報が含まれており、上記コンテンツ再生手段は、再生する画像ファイルの名称を参照し、名称に含まれる識別情報に基づいて、対応する音ファイルを選択し、画像ファイルに同期させて音ファイルを再生する構成とすることもできる。
【００３５】
上記構成では、上記時刻情報付フォルダやルートフォルダ内に、コンテンツの画像ファイルと、これに対応付けられたコンテンツの音ファイルとが格納されている。対応する画像ファイルと音ファイルの各名称には、互いを特定し得る識別情報が含まれている。
【００３６】
そして、上記コンテンツ再生手段が、再生する画像ファイルの名称を参照し、名称に含まれる識別情報に基づいて、対応する音ファイルを選択し、画像ファイルに同期させて音ファイルを再生する。
【００３７】
これにより、画像ファイルと共に再生したい音ファイルを、画像ファイルと同じ識別情報を名称に含めて格納しておくだけの簡単な作業で、画像のコンテンツそれぞれに対応する音のコンテンツを簡単につけることができる。また、画像のコンテンツに付ける音のコンテンツの変更も、所望の音ファイルを格納して名称を付けるだけで実施できるので、非常に簡単に画像のコンテンツに音のコンテンツを付けることができ、利便性を向上できる。
【００３８】
本発明のコンテンツ再生装置は、さらに、上記コンテンツ再生手段は、上記時刻情報付フォルダ内、あるいは時刻情報付フォルダおよびルートフォルダ内のコンテンツのファイルを繰り返し再生するモードと、１回のみ再生するモードとを有している構成としてもよい。
【００３９】
上記構成では、コンテンツ再生手段は、時刻情報付フォルダやルートフォルダ内のコンテンツのファイルを繰り返し再生するモードと、１回のみ再生するモードとを有しているので、利便性を向上できる。
【００４０】
本発明のコンテンツ再生方法は、さらに、コンテンツのファイルを再生するコンテンツ再生方法において、コンテンツに付されている名称を参照して、名称に時刻情報を含む時刻情報付コンテンツを検出する時刻付再生対象検出ステップと、上記時刻付再生対象検出ステップにて時刻情報付コンテンツが検出されると、該時刻情報付コンテンツを、当該名称に含まれる時刻情報の時刻に再生するコンテンツ再生ステップとを含むことを特徴としている。
【００４１】
コンテンツ再生装置として既に説明したように、上記構成では、ユーザに煩雑な作業を強いることなく、可搬型記録媒体やコンテンツ再生装置の記憶装置に格納される、再生させたいコンテンツのファイル名称を、時刻情報を含むように変更したり、あるいは、名称に時刻情報を含むフォルダを作成し、このフォルダに再生させたいコンテンツのファイルを格納したりするといった作業だけで、ケジュール機能を用いたりすることなく、簡単に所望する時刻に、可搬型記録媒体やコンテンツ再生装置の記憶装置に格納されたコンテンツを自動再生させることができる。
【００４２】
なお、上記コンテンツ再生装置は、コンピュータによって実現してもよく、この場合には、コンピュータを上記各手段として動作させることにより、上記コンテンツ再生装置をコンピュータにて実現させるプログラム、およびそれを記録したコンピュータ読み取り可能な記録媒体も、本発明の範疇に含まれる。
【発明の効果】
【００４３】
本発明は、コンテンツのファイルの名称、あるいはコンテンツのファイルが格納されたフォルダの名称を参照して、名称に時刻情報を含む時刻情報付ファイルあるいは時刻情報付フォルダを検出し、時刻情報付ファイルあるいは時刻情報付フォルダが検出されると、時刻情報付ファイルあるいは時刻情報付フォルダ内のコンテンツのファイルを、名称に含まれる時刻情報の時刻にコンテンツ再生するものである。
【００４４】
本発明によれば、ユーザに煩雑な作業を強いることなく、可搬型記録媒体やコンテンツ再生装置の記憶装置に格納される、再生させたいコンテンツのファイル名称を、時刻情報を含むように変更したり、あるいは、名称に時刻情報を含むフォルダを作成し、このフォルダに再生させたいコンテンツのファイルを格納したりするといった作業だけで、ケジュール機能を用いたりすることなく、簡単に所望する時刻に、可搬型記録媒体やコンテンツ再生装置の記憶装置に格納されたコンテンツを自動再生させることができ、コンテンツ再生装置としての利便性を大幅に向上させることができる。
【図面の簡単な説明】
【００４５】
【図１】本発明の実施の一形態を示すもの、コンテンツ再生装置の機能的構成を示すブロック図である。
【図２】本実施の形態に係るコンテンツ再生装置の各機能部を実現するコンピュータシステムの構成を示すブロック図である。
【図３】図１に示したコンテンツ再生装置に挿入されることで、指定時刻にてコンテンツが自動再生される、ある可搬型記録媒体のルートフォルダ「\\」の格納例を示す説明図である。
【図４】図４（ａ）は、図３に示した可搬型記録媒体のルートフォルダのファイル構成を示す説明図であり、図４（ｂ）は、図３に示した可搬型記録媒体のルートフォルダ内のフォルダ「1710」のファイル構成を示す説明図であり、図４（ｃ）は、図３に示した可搬型記録媒体のルートフォルダ内のファイル「2030」のファイル構成を示す説明図である。
【図５】図５（ａ）図５（ｂ）共に、図１に示したコンテンツ再生装置のスライドショー情報管理部にて設定されるスライドショー情報の例を示す説明図である。
【図６】図６（ａ）は、図１に示したコンテンツ再生装置のスライドショー情報管理部のファイル再生順検出部にて検出された、各フォルダの画像ファイル再生順を示す説明図であり、図６（ｂ）は、図１に示したコンテンツ再生装置のスライドショー情報管理部のファイル再生順検出部にて検出された、各フォルダの音ファイル再生順を示す説明図である。
【図７（Ａ）】図１に示したコンテンツ再生装置の主要動作を示すフローチャートである。
【図７（Ｂ）】図１に示したコンテンツ再生装置の主要動作を示すフローチャートであり、図７（Ａ）の続きである。
【図８（Ａ）】図７（Ａ）のステップＳ１２，図７（Ｂ）のステップＳ２４で実行されるファイル再生処理を示すフローチャートである。
【図８（Ｂ）】図７（Ａ）のステップＳ１２，図７（Ｂ）のステップＳ２４で実行されるファイル再生処理を示すフローチャートであり、図８（Ａ）の続きである。
【図９】図１に示したコンテンツ再生装置に可搬型記録媒体を挿入することで、指定時刻にて可搬型記録媒体のコンテンツが自動再生されるように、可搬型記録媒体へコンテンツの格納方法を示す説明図である。
【図１０】図９の格納例におけるフォルダ「１７１０」「２０３０」がリピートモードで再生される様子を示す説明図である。
【発明を実施するための形態】
【００４６】
以下、図面を参照しつつ本発明の一実施の形態について説明する。本実施形態のコンテンツ再生装置は、可搬型記録媒体や、コンテンツ再生装置の記憶装置（内蔵式・着脱式いずれでもよい）に格納されたコンテンツを、指定された時刻に自動再生するものである。本実施形態では、コンテンツ再生の一例として、複数の静止画を音と共にスライドショーとして再生する構成を例示する。
【００４７】
しかしながら、コンテンツ再生の例としては、動画や静止画を単独で再生したり、動画や静止画を音と共に再生したり、複数の動画を連続で再生したり、複数の動画を音と共に連続再生したりするものであってもよい。また、動画より時間軸に沿って複数の静止画を抽出し、これをサムネイルやスライドショーとして表示したりする技術も確立されており、これらを音と共に表示してもよい。
（機能的構成）
図１には、本実施の形態に係るコンテンツ再生装置１００の機能的構成のブロック図を示す。図１に示すように、コンテンツ再生装置１００は、入力部１０１、ＨＤＤ（内蔵式・着脱式いずれでもよい）１３１、ＨＤＤドライブ１３０、スライドショー実行部（コンテンツ再生手段）１０３、時刻付再生対象検出部（時刻付再生対象検出手段）１１０、スライドショー情報管理部１０４、時刻制御部１０６、及び再生指示部（再生指示手段）１０７を備えている。
【００４８】
入力部１０１は、可搬型記録媒体１０に格納されているコンテンツをコンテンツ再生装置１００内に入力させるものである。可搬型記録媒体１０としては、ＵＳＢメモリや、ＳＤ−ＣＡＲＤ、ＣＦ−ＣＡＲＤ、ＰＣＭＣＩＡ−ＣＡＲＤ、ＤＶＤ、ＢＤ等をあげることができる。
【００４９】
ＨＤＤ１３１は、コンテンツ再生装置１００に内蔵されている、あるいは着脱式の記憶装置であり、ＨＤＤドライブ１３０は、ＨＤＤ１３１に格納されているコンテンツをはじめとする各種データを、読み出すものである。
【００５０】
時刻付再生対象検出部１１０は、コンテンツに付されている名称を参照して時刻情報付コンテンツを検出するものである。コンテンツは、可搬型記録媒体１０、ＨＤＤ１３１に格納されており、入力部１０１や、ＨＤＤドライブ１３０で読み出されたコンテンツのファイルの名称、あるいはコンテンツのファイルが格納されたフォルダの名称を参照して、ファイル名称あるいはフォルダ名称に時刻情報を含む時刻情報付ファイルや時刻情報付フォルダを検出する。
【００５１】
本実施形態では、時刻付再生対象検出部１１０は、ルートフォルダ情報取得部１０２と時刻情報検出部１０５とを備えている。
【００５２】
ルートフォルダ情報取得部１０２は、可搬型記録媒体１０、ＨＤＤ１３１のルートフォルダ内の真下に格納されているフォルダやファイルの情報を取得するものである。フォルダやファイルの情報として、ルートフォルダ内のフォルダやファイルの名称、及びフォルダ内のファイルの名称を取得する。ファイルには、画像ファイルと音ファイルとがあるが、本明細書においては、画像ファイル、音ファイルと特に断らない限り、画像ファイルと音ファイルの両方を指すものとする。
【００５３】
ルートフォルダとは、可搬型記録媒体１０、ＨＤＤ１３１の最上層のフォルダのことである。可搬型記録媒体１０の種類によっては、ルートディレクトリと称されることもある。
【００５４】
図３に、ある可搬型記録媒体１０のルートフォルダ「\\」の格納例を示す。図３の例では、「1710」、「2030」、「ＡＢＣ」の名称が付された３つのフォルダが、ルートフォルダ内真下に格納されている。また、ルートフォルダ内真下には、「image0001.jpg」、「image0002.jpg」、「image0003.jpg」、「image0004.jpg」、「image0005.jpg」の名称が付された５つの画像ファイルと、「music0001.mp3」、「music0002.mp3」、「music0003.mp3」の名称が付された３つの音ファイルが格納されている。
【００５５】
このような可搬型記録媒体１０が入力部１０１に挿入されると、ルートフォルダ情報取得部１０２は、フォルダ名称「1710」、「2030」、「ＡＢＣ」画像ファイル名称「image0001.jpg」、「image0002.jpg」、「image0003.jpg」、「image0004.jpg」、「image0005.jpg」、音ファイル名称「music0001.mp3」、「music0002.mp3」、「music0003.mp3」を取得する。
【００５６】
また、後述する再生順の検出するために、ルートフォルダ情報取得部１０２は、「1710」、「2030」、「ＡＢＣ」の各フォルダ内に格納されているファイルの名称も取得する。
【００５７】
なお、これ以降、図３に格納例を示したある可搬型記録媒体１０内に格納された時刻情報付のコンテンツに対して、指定時刻に自動再生を行う処理を説明していくが、ルートフォルダ情報取得部１０２は、ＨＤＤ１３１のルートフォルダからも同様に真下に格納されているフォルダやファイルの名称を取得するようになっており、ＨＤＤ１３１内に格納された時刻情報付のコンテンツに対しても、同様の指定時刻に自動再生する処理を行う。
【００５８】
時刻情報検出部１０５は、ルートフォルダ内真下に格納されているフォルダやファイルの名称に時刻情報を含む時刻情報付フォルダ、時刻情報付ファイルを検出するものである。時刻情報検出部１０５は、ルートフォルダ情報取得部１０２にて取得されたファイル名称、フォルダ名称を参照して、時刻情報を名称に含む時刻情報付ファイル、時刻情報付フォルダを検出する。
【００５９】
本実施形態では、時刻情報検出部１０５は、名称より４桁の数字列「○○○○」を抽出し、千と百の桁の数字が、０時〜２３時を表す「００」，「０１」，…「２２」「２３」の整数であり、十と一の桁の数字が、０分〜５９分を表す「００」，「０１」，…「５８」「５９」の整数である場合に、時刻情報であると判断する。
【００６０】
なお、本実施形態では、時刻情報を４桁の数字列としているが、６桁の数字列として、コンテンツを再生する時刻を秒の単位まで指定するようにしてもよい。
【００６１】
また、本機能とは関係なく、たまたま付されたフォルダ名称やファイル名称に４桁の数字が含まれている場合、時刻情報として検出され、自動再生されることが想定される。そこで、このような自体を回避するために、例えば４桁の数字列の後ろに「ＴＩＭＥ」等の文字列を付したものを時刻情報として検出するように設定してもよい。この場合、時刻情報検出部１０５は、名称より４桁の数字列を抽出する際に、その後ろに「ＴＩＭＥ」があるものを抽出し、４桁の数字列の千と百の桁の数字と、十と一の桁の数字とが、前述した時間と分を表す整数である場合に、時刻情報であると判断する。
【００６２】
時刻情報検出部１０５は、時刻情報付ファイルあるいは時刻情報付フォルダを検出すると、検出したことを、後段の再生指示部１０７へ通知する。あるいは、検出した時刻情報付ファイルあるいは時刻情報付フォルダの名称を再生指示部１０７へ通知する。
【００６３】
図３に示したルートフォルダの格納例では、時刻情報検出部１０５は、「1710」および「2030」の２つのフォルダを、時刻情報を名称に含む時刻情報付フォルダであると判断する。フォルダ名称の「1710」、「2030」が時刻情報に相当する。
【００６４】
再生指示部１０７は、時刻情報付ファイルあるいは時刻情報付フォルダが検出されると、時刻情報付ファイルあるいは時刻情報付フォルダ内のファイルを、名称に含まれる時刻情報の時刻に、スライドショー実行部１０３にて再生させるものである。
【００６５】
再生指示部１０７は、時刻情報付ファイルや時刻情報付フォルダに含まれる４桁の数字列より、指定時刻を特定する。例えば、前述した「1710」、「2030」の時刻情報を含むフォルダ名称では、「１７時１０分」、「２０時３０分」が指定時刻であると特定する。
【００６６】
再生指示部１０７には、時刻制御部１０６より現在時刻が時間情報として供給されるようになっており、現在時刻と、ルートフォルダ情報取得部１０２にて取得されたルートフォルダ内真下のファイルやフォルダの名称を照合して、現在時刻に合致する時刻情報を含む時刻情報付ファイルやフォルダを検出する。ここで、時刻情報検出部１０５より、時刻情報付ファイルや時刻情報付フォルダの名称が通知されている場合は、現在時刻と、時刻情報検出部１０５より通知された時刻情報付ファイルや時刻情報付フォルダの名称を照合すればよい。
【００６７】
再生指示部１０７は、現在時刻と合致する時刻情報付ファイルあるいは時刻情報付フォルダを検出すると、当該ファイルあるいはフォルダを、再生ファイルあるいは再生フォルダ（再生対象）に設定し、スライドショー実行部１０３に対して再生させる。
【００６８】
図３に示したルートフォルダの格納例では、再生指示部１０７は、時刻制御部１０６より供される現在時刻の時間情報が１７時１０分である場合に、「1710」のフォルダ内のファイルを再生させる。また、時刻制御部１０６より供される現在時刻の時間情報が２０時３０分である場合に、「2030」のフォルダ内のファイルを再生させる。
【００６９】
また、再生指示部１０７は、時刻情報検出部１０５にて時刻情報付ファイルや時刻情報付フォルダが検出されなかった場合と、検出されたとしても、時刻情報付ファイルや時刻情報付フォルダ内のファイルを時刻情報の時刻に再生するまでの空き時間に、ルートフォルダ内の真下に格納されているファイル（名称に時刻情報を含まない）をスライドショー実行部１０３にて再生させるものでもある。
【００７０】
スライドショー情報管理部１０４は、スライドショー実行部１０３が、スライドショーを実行する上で必要となるスライドショー情報を管理するものである。スライドショー情報管理部１０４は、ファイル再生順検出部（ファイル再生順検出手段）１１５と、スライドショー情報格納部１１６とを備えている。
【００７１】
本実施形態では、スライドショー情報として、再生時間、再生順、再生サイクル、再生モードの４つを用いている。スライドショー情報格納部１１６には、これらのスライドショー情報が格納されている。
【００７２】
再生時間は、画像ファイルを、再生し続ける時間の情報である。ここでは、静止画をスライドショー再生する構成を採用しているので、各静止画を表示させ続ける時間に相当する。このような再生時間は、予め設定されている。後述する画像・音同期再生モードでは、画像ファイルの再生に同期して音ファイルが再生される。つまり、音ファイルは、途中であっても、再生時間に達すると、音ファイルの再生が終了し、次に音ファイルへと切り換わる。一方、画像・音別再生モードでは、音ファイルが画像ファイルの再生時間とは関係なく再生され、音ファイルの再生が完了した時点で次の音ファイルが再生されることとなる。
【００７３】
再生サイクルは、スライドショー表示を１回のみ（シングル）とするか、繰り返し（リピート）行わせるかを設定する情報である。シングルモードでは、スライドショー表示は、再生ずべきフォルダ内のファイルに対して１回のみ行われる。リピートモードでは、スライドショー表示は、再生ずべきフォルダ内のファイルに対して繰り返し行われる。
【００７４】
再生順は、画像ファイルや音ファイルを再生する順序の情報である。ファイル再生順の情報は、ファイル再生順検出部（ファイル再生順検出手段）１１５が、ファイル名称に基づいてフォルダ毎に設定するものである。設定された情報が、スライドショー情報格納部１１６に格納される。
【００７５】
例えば、図３に示したルートフォルダの格納例では、フォルダ名称「\\」のルートフォルダ内真下のファイル構成は、図４(ａ)に示すようになる。このようなファイル構成の場合、ファイル再生順検出部１１５は、ファイル名称に含まれる番号「0001,0002,…」に基づいて、画像ファイルの再生順は、「image0001.jpg」→「image0002.jpg」→「image0003.jpg」→「image0004.jpg」→「image0005.jpg」に、音ファイルの再生順は、「music0001.mp3」→「music0002.mp3」、→「music0003.mp3」に設定する。
【００７６】
また、図４（ｂ）には、「1710」のフォルダ内真下のファイル構成を示す。このようなファイル構成の場合、ファイル再生順検出部１１５は、ファイル名称に含まれる番号「_1,_2,_3,…」に基づいて、画像ファイルの再生順は、「image1710_1.jpg」→「image1710_2.jpg」→「image1710_3.jpg」に、音ファイルの再生順は、「music1710_1.mp3」→「music1710_2.mp3」→「music1710_3.mp3」に設定する。
【００７７】
また、図４（ｃ）には、「2030」のフォルダ内真下のファイル構成を示す。このようなファイル構成の場合、ファイル再生順検出部１１５は、ファイル名称に含まれる番号「_1,_2,_3,…」に基づいて、画像ファイルの再生順は、「image2030_1.jpg」→「image2030_2.jpg」→「image2030_3.jpg」に、音ファイルの再生順は、「music2030_1.mp3」→「music2030_2.mp3」→「music2030_3.mp3」に設定する。
【００７８】
再生モードは、画像ファイルと音ファイルの再生タイミングを設定する情報である。再生モードには、画像・音同期再生モードと、画像・音別再生モードの２種類がある。
【００７９】
画像・音同期再生モードでは、画像ファイルに関連付けられている音ファイルが、画像ファイルと同じタイミングで再生される。画像ファイルと音ファイルとの対応付けは、対応する画像ファイルと音ファイルの各名称に、互いを特定し得る識別情報を含めることで行われる。スライドショー実行部１０３は、再生する画像ファイルの名称を参照し、名称に含まれる識別情報に基づいて、対応する音ファイルを選択し、画像ファイルに同期させて音ファイルを再生する。音ファイルの再生は、画像ファイルの再生時間に同期されるので、音ファイルの再生が完了していなくとも、画像ファイルの切り換わりと共に、音楽ファイルも切り換えられる。
【００８０】
例えば、図４(ａ)に示す、ルートフォルダ内真下のファイル構成では、画像・音同期再生モードが指定されると、ファイル再生順検出部１１５が検出した画像ファイルの再生順に従い、画像ファイル「image0001.jpg」と音ファイル「music0001.mp3」が同期して再生される。ここで。「0001」が識別情報である。なお、「0001」は、再生順を決定するための番号情報でもある。
【００８１】
続いて画像ファイル「image0002.jpg」と音ファイル「music0002.mp3」が同期して再生され、次いで「image0003.jpg」と音ファイル「music0003.mp3」が同期して再生される。その後は、画像ファイルの再生順に従い、画像ファイル「image0004.jpg」、「image0005.jpg」が順に再生されるが、これら画像ファイル「image0004.jpg」、「image0005.jpg」には、同じ識別情報をもつ音ファイルが存在しないので、音ファイルは再生されず画像のみの表示となる。
【００８２】
また、図４（ｂ）に示す、「1710」のフォルダ内真下のファイル構成では、画像・音同期再生モードが指定されると、ファイル再生順検出部１１５が検出した画像ファイルの再生順に従い、画像ファイル「image1710_1.jpg」と音ファイル「music1710_1.mp3」が同期して再生される。ここで。「1710_1」あるいは「_1」が識別情報である。なお、「1710_1」あるいは「_1」は、再生順を決定するための番号情報でもある。
【００８３】
続いて画像ファイル「image1710_2.jpg」と音ファイル「music1710_2.mp3」が同期して再生され、次いで「image1710_3.jpg」と音ファイル「music1710_3.mp3」が同期して再生される。
【００８４】
一方、画像・音別再生モードでは、画像ファイルと音ファイルの各再生タイミングがそれぞれ別々に管理され、別々のタイミングで再生される。また、画像ファイルの再生時間は、予め設定されている再生時間に従うが、音ファイルの再生時間は、各音ファイルの再生時間に従う。
【００８５】
例えば、図４(ａ)に示す、ルートフォルダ内真下のファイル構成では、画像・音別再生モードが指定されると、ファイル再生順検出部１１５が検出した画像ファイルの再生順に従い、画像ファイルは、「image0001.jpg」→「image0002.jpg」→「image0003.jpg」→「image0004.jpg」→「image0005.jpg」の順に、設定されている再生時間ずつ再生される。一方、音ファイルは、ファイル再生順検出部１１５が検出した音ファイルの再生順に従い、「music0001.mp3」→「music0002.mp3」、→「music0003.mp3」の順に、各音ファイルの固有の再生時間に従って、再生が完了するまで再生される。
【００８６】
また、図４（ｂ）に示す、「1710」のフォルダ内真下のファイル構成では、画像・音別再生モードが指定されると、ファイル再生順検出部１１５が検出した画像ファイルの再生順に従い、画像ファイルは、「image1710_1.jpg」→「image1710_2.jpg」→「image1710_3.jpg」の順に、設定されている再生時間ずつ再生される。一方、音ファイルは、ファイル再生順検出部１１５が検出した音ファイルの再生順に従い、「music1710_1.mp3」→「music1710_2.mp3」→「music1710_3.mp3」の順に、各音ファイルの固有の再生時間に従って、再生が完了するまで再生される。
【００８７】
図５（ａ）図５（ｂ）、図６（ａ）図６(ｂ)に、スライドショー情報格納部１１６に格納されるスライドショー情報の一例を示す。図５（ａ）の例では、再生サイクルとして「リピート」、再生モードとして「画像・音別再生モード」、再生時間として「３０秒」が設定されている。図５（ｂ）の例では、再生サイクルとして「シングル」、再生モードとして「画像・音同期再生モード」、再生時間として「３５秒」が設定されている。
【００８８】
また、図６（ａ）図６（ｂ）は、ファイル再生順検出部１１５が、ファイルの名称に基づいて決定した、各フォルダにおけるファイル再生順を示している。このうち、図６（ａ）は、ルートフォルダ「\\」、フォルダ「1710」、フォルダ「2030」それぞれにおける画像ファイルの再生順を示している。また、図６（ｂ）は、ルートフォルダ「\\」、フォルダ「1710」、フォルダ「2030」それぞれにおける音ファイルの再生順を示している。
【００８９】
スライドショー情報管理部１０４において、管理するスライドショー情報のうち、再生モード、再生時間、再生サイクルについては、コンテンツ再生装置１００に接続された指示入力装置１２を用いて、ユーザが適宜書き換えることができる。なお、指示入力装置１２は、コンテンツ再生装置１００に接続された操作パネルであってもよいし、非接続のリモコン等であってもよい。
【００９０】
スライドショー実行部１０３は、再生指示部１０７より、ルートフォルダ内のファイル、あるいは時刻情報付フォルダ内のファイル、あるいは時刻情報付ファイルの再生が指示されると、指示されたフォルダを再生フォルダ、あるいは再生ファイルとして、表示装置１１においてスライドショー表示を行わせるものである。なお、再生フォルダが指定され、そのフォルダ内に複数の画像ファイルが格納されている場合は、スライドショー実行部１０３はスライドショーを実行できる。しかしながら、フォルダ内の画像ファイルが１枚のみである場合や、時刻情報付ファイルの再生が指示された場合は、スライドショー実行部１０３は１枚の静止画を再生し続けることとなるが、本実施形態においては、このような１枚の静止画の表示もスライドショーに含めるものとする。
【００９１】
スライドショー実行部１０３は、フォルダ再生が指示され、指示されたフォルダを再生フォルダに設定すると、該再生フォルダの再生順等のスライドショーを実行する上で必要なスライドショー情報を、スライドショー情報管理部１０４より読み出す。ここでは、再生時間、再生モード、再生サイクル、再生順の情報を読み出す。そして、再生フォルダに設定したフォルダ内のファイルのデータを、再生順に従って、可搬型記録媒体１０、あるいはＨＤＤ１３１より順次読み出し、再生時間、再生モード、再生サイクルに従って、フォルダ内の全てのファイルの再生を行う。
【００９２】
一方、スライドショー実行部１０３は、ファイル再生が指示され、指示されたファイルを再生ファイルに設定した場合には、スライドショー情報として、再生時間、再生モード、再生サイクルの情報を読み出す。そして、再生ファイルに設定したファイルのデータを、可搬型記録媒体１０、ＨＤＤ１３１より読み出し、再生時間、再生モード、再生サイクルに従って、再生を行う。
【００９３】
スライドショー実行部１０３には、画像・音同期再生処理部１１１と、画像・音別再生処理部１１２と、ループ処理部１１３とを備えている。
【００９４】
画像・音同期再生処理部１１１は、画像・音同期再生モードが選択されている場合に画像ファイル、音ファイルを再生するものである。一方、画像・音別再生処理部１１２は、画像・音別再生モードが選択された場合に、画像ファイル、音ファイルを再生するものである。
【００９５】
画像・音同期再生処理部１１１は、画像ファイルを再生順に従って順次再生すると共に、画像ファイルの再生タイミングを同期して、画像ファイルに関連付けられた音ファイルを再生するものである。再生する画像ファイルの名称を参照し、名称に含まれる識別情報に基づいて、対応する音ファイルを選択し、画像ファイルに同期させて音ファイルを再生する。画像ファイルの再生時間は、予め設定されている再生時間となり、音ファイルの再生時間もこれに従う。
【００９６】
画像・別再生処理部１１２は、画像ファイルを再生順に従って順次再生すると共に、画像ファイルとは別に、音ファイルを再生順にしたがって順次再生するものである。画像ファイルの再生時間は、予め設定されている再生時間となるが、音ファイルの再生時間は、各音ファイルの再生時間となる。
【００９７】
ループ処理部１１３は、再生サイクルの情報として、リピートモードが設定されていた場合に、画像・音同期再生処理部１１１、画像・音別再生処理部１１２に指示して、スライドショーのためのファイル再生を繰り返し実施させるものである。
【００９８】
表示装置１１は、液晶モニタ等からなる表示機能と、スピーカ等の音声出力機能を有する表示装置である。
（コンテンツ再生装置１００を実現するコンピュータシステムの構成）
本実施の形態に係るコンテンツ再生装置１００は、実質的には、コンピュータハードウェアと、そのコンピュータハードウェアにより実行されるプログラムと、コンピュータハードウェアに格納されるデータとにより実現される。図２に、このコンピュータシステム２００の内部構成を示す。
【００９９】
図２を参照して、このコンピュータシステム２００は、ＨＤＤ１３１、ＨＤＤドライブ１３０、光ディスクドライブ２０１、カードスロットル２０２、およびＵＳＢ処理部２０３を有するコンピュータ２２０と、表示装置２０４と、リモートコントローラ（以下、「リモコン」と呼ぶ）２０５と、指示入力装置２１０とを含む。
【０１００】
コンピュータ２２０は、ＨＤＤ１３１、ＨＤＤドライブ１３０、光ディスクドライブ２０１、カードスロットル２０２、およびＵＳＢ処理部２０３に加えて、リモコン２０５からの信号を受信するリモコンインタフェース（Ｉ／Ｆ）２０６と、ＣＰＵ２０７、ＲＴＣ２１１を備えている。さらに、コンピュータ２２０は、ＨＤＤ１３１、ＨＤＤドライブ１３０、光ディスクドライブ２０１、カードスロットル２０２、およびＵスＳＢ処理部２０３に接続されたバス２１２と、バス２１２に接続され、ブートアッププログラム等を記憶する読出専用メモリ（ＲＯＭ）２０８と、同じくバス２１２に接続され、プログラム命令、システムプログラム、および作業データ等を記憶するランダムアクセスメモリ（ＲＡＭ）２０９とを含む。
【０１０１】
ここでは示さないが、コンピュータ２２０は、さらにローカルエリアネットワーク（ＬＡＮ）への接続を提供するネットワークアダプタボードを含んでもよい。
【０１０２】
コンピュータシステム２００にコンテンツ再生装置１００の機能を実現させるためのプログラムは、ＲＯＭ２０８、ＲＡＭ２０９、ＨＤＤ１３１に記憶されていても、あるいは、コンテンツと共に、光ディスクドライブ２０１、カードスロットル２０２、ＵＳＢ処理部２０３に挿入される、光ディスク２１５、ＣＡＲＤ２１６およびＵＳＢメモリ２１７に記憶されており、これらが挿入されることで読み出される構成であってもよい。
【０１０３】
コンテンツは、前述したように、ＨＤＤ１３１、光ディスク２１５、ＣＡＲＤ２１６およびＵＳＢメモリ２１７に記憶されている。
【０１０４】
また、コンピュータシステム２００にコンテンツ再生装置１００の機能を実現させるためのプログラムは、図示しないネットワークを通じてコンピュータ２２０に送信され、図示しないハードディスクに記憶されてもよい。プログラムは実行の際にＲＡＭ２０９にダウンロードされる。或いは、光ディスク２１５から、ＣＡＲＤ２１６から、ＵＳＢメモリ２１７から、又はネットワークを介して、直接にＲＡＭ２０９にダウンロードしてもよい。
【０１０５】
このプログラムは、コンピュータ２２０に本実施の形態に係るコンテンツ再生装置１００の機能を実現させる複数の命令を含む。これら機能を実現させるのに必要な基本的機能のいくつかはコンピュータ２２０上で動作するオペレーティングシステム（ＯステップＳ）又はサードパーティのプログラム、若しくはコンピュータ２２０にインストールされる各種ツールキットのモジュールにより提供される。したがって、このプログラムはこの実施の形態に係るコンテンツ再生装置１００の機能を実現するのに必要な機能全てを必ずしも含まなくてよい。このプログラムは、命令のうち、所望の結果が得られるように制御されたやり方で適切な機能又は「ツール」を呼出すことにより、上記したコンテンツ再生装置１００の制御を実行する命令のみを含んでいればよい。コンピュータシステム２００の動作は周知であるので、ここでは繰り返さない。
【０１０６】
なお、コンテンツ再生装置１００の機能を実現するためのプログラム、コンテンツが記録される記録媒体は、ＣＤ−ＲＯＭ（コンパクトディスク読取専用メモリ）、ＭＯ（Ｍａｇｎｅｔｏ−Ｏｐｔｉｃａｌ ｄｉsｃ）、ＭＤ（Ｍｉｎｉ Ｄｉsｃ）、およびＤＶＤ（Ｄｉｇｉｔａｌ Ｖｅｒsａｔｉｌｅ Ｄｉsｃ）等の光ディスク２１５、ＦＤ（フレキシブルディスク）およびハードディスク等の磁気ディスクに限らない。磁気テープおよびカセットテープ等のテープ、ＩＣ（Ｉｎｔｅｇｒａｔｅｄ Ｃｉｒｃｕｉｔ）カードおよび光カード等のカード型記録媒体、並びにマスクＲＯＭ、ＥＰＲＯＭ（Ｅｒａｓａｂｌｅ Ｐｒｏｇｒａｍａｂｌｅ ＲＯＭ）、ＥＥＰＲＯＭ（Ｅｌｅｃｔｒｉｃａｌｌｙ Ｅｒａｓａｂｌｅ Ｐｒｏｇｒａｍａｂｌｅ ＲＯＭ）、およびフラッシュＲＯＭ等の半導体メモリのいずれかでもよい。ただし、コンピュータシステム２００は、これら記録媒体からの読出を行うための読出装置を実装する必要がある。
【０１０７】
ここで、図１と図２の主な対応付けを説明しておく。図１の入力部１０１が、図２の光ディスクドライブ２０１、カードスロットル２０２、およびＵＳＢ処理部２０３に相当する。図１の可搬型記録媒体１０が、図２の光ディスク２１５、ＣＡＲＤ２１６およびＵＳＢメモリ２１７に相当する。また、図１の指示入力装置１２が、図２のリモコン２０５、リモコンＩ／Ｆ２０６、指示入力装置２１０にて相当する。図１の時刻制御部１０６は、図２のＲＴＣ（Ｒｅａｌ Ｔｉｍｅ Ｃｌｏｃｋ）より構成される。図１の時刻付再生対象検出部１１０、再生指示部１０７、スライドショー実行部１０３、スライドショー情報管理部１０４は、ＣＰＵ２０７が、ＲＯＭ２０８，ＲＡＭ２０９に格納されているプログラムを実行し、ＲＡＭ２０９を作業領域として使用することで実現される。
（コンテンツ再生装置の動作）
本実施の形態に係るコンテンツ再生装置１００は、入力部１０１に挿入される可搬型記録媒体１０、ＨＤＤドライブ１３０にて読み出されるＨＤＤ１３１内に、時刻情報が名称に含まれている時刻情報付フォルダあるいは時刻情報付ファイルが存在するかどうかを検出し、存在する場合は、そのフォルダに格納されているファイル、あるいは時刻情報を名称に含む時刻情報付ファイルそのものを、名称に付されている時刻情報の時刻に再生するものである。ここでは、コンテンツ再生として、複数の静止画を、音楽情報と共に再生するスライドショー表示を例示する。
【０１０８】
以下に、名称に時刻情報が含まれている時刻情報付フォルダあるいは時刻情報付フォルダを検出し、検出した時刻情報付フォルダに格納されているファイル、あるいは時刻情報付ファイルを、時刻情報の時刻に再生する動作を含むコンテンツ再生装置１００の全体動作の概要について説明する。ここでも、可搬型記録媒体１０内に格納された時刻情報付のコンテンツに対して、指定時刻に自動再生を行う処理を説明していくが、ＨＤＤ１３１内に格納された時刻情報付のコンテンツに対しても同様である。
【０１０９】
コンテンツ再生装置１００において、可搬型記録媒体１０が入力部１０１に挿入されると、時刻付再生対象検出部１１０のルートフォルダ情報取得部１０２は、入力部１０１を介して、可搬型記録媒体１０におけるルートフォルダの情報として、ルートフォルダに格納されているフォルダおよびファイルの名称を取得する。また、フォルダの場合は、そのフォルダに格納されているファイルの名称も取得する。
【０１１０】
時刻付再生対象検出部１１０の時刻情報検出部１０５は、ルートフォルダ情報取得部１０２に取得されたルートフォルダ内のフォルダ名称およびファイル名称を参照して、名称に時刻情報を含むフォルダやファイルが存在しているかどうかを検出する。そして、名称に時刻指定情報を含む時刻情報付フォルダあるいは時刻情報付ファイルの存在を検出すると、再生指示部１０７へ存在の検出を通知する。あるいは、検出した時刻情報付ファイルあるいは時刻情報付フォルダの名称を、再生指示部１０７に出力する。
【０１１１】
再生指示部１０７は、時刻制御部１０６より供給される時間情報と、ルートフォルダ情報取得部１０２にて取得されたルートフォルダ内のファイルやフォルダの名称を照合する。時刻情報検出部１０５より、時刻情報付ファイルや時刻情報付フォルダの名称が通知されている場合は、通知された時刻情報付ファイルや時刻情報付フォルダの名称と照合する。
【０１１２】
再生指示部１０７は、時刻制御部１０６より時間情報と合致する時刻情報付ファイルあるいは時刻情報付フォルダを検出すると、当該ファイルあるいはフォルダを、再生対象に設定し、スライドショー実行部１０３に対して、当該再生対象を再生させる。
【０１１３】
また、再生指示部１０７は、時刻情報にて指定された時刻に至るまでの間や、時刻情報付フォルダや時刻情報付ファイルが検出されなかった場合に、スライドショー実行部１０３に対して、ルートフォルダに格納されているファイルを再生させる。
【０１１４】
スライドショー実行部１０３は、再生指示部１０７より、再生すべきファイルやフォルダが設定されると、スライドショー情報管理部１０４より、再生するファイルあるいはフォルダに関するスライドショー情報を読み出す。また、当該ファイルあるいはフォルダのファイルを、入力部１０１を介して可搬型記録媒体１０より順次読み出し、取得したスライドショー情報に基づいて再生し、表示装置１１においてスライドショーを実行する。
（主要動作の説明）
図７（Ａ）、図７（Ｂ）は、コンテンツ再生装置１００の主要動作の概要を示すフローチャートである。ここでも、可搬型記録媒体１０内に格納された時刻情報付のコンテンツに対して、指定時刻に自動再生を行う処理を説明していくが、ＨＤＤ１３１内に格納された時刻情報付のコンテンツに対しても同様である。
【０１１５】
図７（Ａ）において、コンテンツ再生装置１００は、可搬型記録媒体１０が挿入され、スライドショー表示開始が指示されるとプログラムが起動し、ルートフォルダを再生フォルダとして設定する（ステップＳ１）。そして、ルートフォルダ内のファイルの再生順と、再生時間を読み出す（ステップＳ２、ステップ３）。
【０１１６】
次に、ルートフォルダ内に、名称に時刻指定情報を含む時刻情報付フォルダあるいは時刻情報付ファイルがあるかどうかを判断する（ステップＳ４）。ここで、時刻情報付フォルダあるいは時刻情報付ファイルがある場合はステップＳ５に進み、ない場合は図７（Ｂ）のステップＳ２１に進む。
【０１１７】
まず、ステップＳ５に進んだ場合を説明する。ステップＳ５では、現在の時刻を取得する。そして、取得した時刻に合致する時刻情報を名称に含むフォルダあるいはファイルがあるがどうかを判断する（ステップＳ６）。ここで、照合する対象は、ルートフォルダに格納されている全フォルダ、全ファイルであってもよいが、ステップＳ４で時刻情報付フォルダあるいは時刻情報付ファイルであると判断したファイルやフォルダの名称を抽出しておき、抽出したものを対象として行ってもよい。
【０１１８】
ステップＳ６において合致したものがないと判断するとステップＳ９に進み、再生フォルダ内の全てのファイルを再生したかどうかを判断する。スタート時は、ルートフォルダが再生フォルダに設定されているので、ルートフォルダ内のファイルを全て再生するまでステップＳ１２に進み、次のファイルの再生を行う。なお、ファイル再生処理の詳細については、図８（Ａ）、図８（Ｂ）を用いて後述する。
【０１１９】
ステップＳ１２にて次のファイルの再生を行うと、ステップＳ５に戻り、現在の時刻を取得し、取得した時刻に合致する時刻情報を名称に含むフォルダあるいはファイルがあるがどうかを判断する（ステップＳ６）。
【０１２０】
ステップＳ６において合致したものがないと判断するとステップＳ９に進み、再度、再生フォルダ内の全てのファイルを再生したかどうかを判断する。ここで、ステップＳ９からステップＳ１２に移行する処理を何度か繰り返し、再生フォルダ内（スタート時はルートフォルダが再生フォルダに設定されている）、つまり、ルートフォルダ内の全てのファイルを再生した場合には、ステップＳ１０に進み、再生サイクルを確認する。
【０１２１】
ステップＳ１０において、再生サイクルとしてシングルモードが設定されている場合には、ステップＳ１３に移行して、デフォルト画像を表示した後、ステップＳ５に戻る。
【０１２２】
一方、ステップＳ１０において、再生サイクルとしてリピートモード（ループ）が設定されている場合には、ステップＳ１１に移行して、再生フォルダにおける最初のファイル（再生順が最初のファイル）を再生ファイルに設定し、ステップＳ１２に進み、再生フォルダの最初のファイルの再生を行う。そのあと、ステップＳ５に戻る。
【０１２３】
再生サイクルとしてリピートモード（ループ）が設定されている場合、再生フォルダ内のファイル再生を繰り返す。つまり、ステップＳ６にて、現在の時刻に合致する時刻情報付フォルダあるいは時刻情報付ファイルがあると判断するまでは、ルートフォルダ内の全ファイルの順次再生（スライドショー）を繰り返す。
【０１２４】
一方、デフォルト画像を表示している状態、あるいは、再生フォルダであるルートフォルダ内の全ファイルを繰り返し再生している状態において、時間が経過し、時刻情報付フォルダあるいは時刻情報付ファイルの時刻情報の時刻に到達し、ステップＳ６において、合致したものがあると判断すると、ステップＳ７に進む。
【０１２５】
ステップＳ７では、現在の時刻と合致した時刻情報付フォルダがある場合は、これを再生フォルダに設定する。一方、現在の時刻と合致した時刻情報付ファイルの場合は、これを再生ファイルに設定する。
【０１２６】
再生フォルダを設定した場合は、ステップＳ８に進み、再生フォルダに設定した時刻情報付フォルダ内のファイルの再生順を読み出し、そのあと、ステップＳ９に進み、再生フォルダ、つまり時刻情報付フォルダに含まれる全てファイルを再生したかどうかを判断する。ステップＳ１において、時刻情報付フォルダを再生フォルダに設定したばかりの場合、当然、全てのファイルを再生していないので、ステップＳ１２に進み、１番目のファイルを再生する。その後、ステップＳ５に戻り、ステップＳ６に入る。
【０１２７】
なお、後述する図８（Ａ）、図８（Ｂ）に示すファイル再生処理においては、再生時間が経過するまでの間は、何度もステップＳ５に戻るようになっているため、ステップＳ５に戻って取得した現在の時刻が、先のステップＳ６において、時刻に合致するフォルダあるいはファイルがあると判断した時刻と一致することとなるが、再生指示部１０７は、既に現在の時刻に合致する時刻情報付フォルダを再生フォルダに設定しているので、ステップＳ６においては、合致するフォルダはないと判断し、ステップＳ９に移行する。
【０１２８】
ステップＳ９、ステップＳ１２を繰り返し行い、再生フォルダに設定している時刻情報付フォルダ内の全てのフィルを再生すると、ステップＳ９において、再生フォルダ内の全てのファイルを再生したと判断して、ステップＳ１０に進み、再生サイクルを確認する。当該フォルダに設定されている再生モードがシングルモードである場合には、ステップＳ１３に移行して、デフォルト画像を表示した後、ステップＳ５に戻る。
【０１２９】
一方、ステップＳ１０において、再生サイクルとしてリピートモード（ループ）が設定されている場合には、ステップＳ１１に移行して、再生フォルダ、つまり、当該時刻情報付フォルダにおける１番目のファイルを再生ファイルに設定し、ステップＳ１２に進み、再生フォルダの最初のファイルの再生を行う。そのあと、ステップＳ５に戻る。
【０１３０】
再生サイクルとしてリピートモード（ループ）が設定されている場合、ほかの時刻情報付フォルダあるいは時刻情報付ファイルに指定された時刻に到達し、ステップＳ７において、これらのフォルダあるいはファイルが再生フォルダあるいは再生ファイルとして設定されないかぎり、当該時刻情報付フォルダ内の全ファイルの順次再生（スライドショー）を繰り返す。
【０１３１】
一方、ステップＳ７において、現在の時刻と合致したものが時刻情報付ファイルであり、これを再生ファイルに設定した場合は、ステップＳ８をスキップして、ステップＳ９に進み、当該再生ファイルを再生したかどうかを判断する。ステップＳ７において、時刻情報付ファイルを再生ファイルに設定したばかりの場合、当然、再生ファイルを再生していないので、ステップＳ１２に進み、再生ファイルを再生する。その後、ステップＳ５に戻り、ステップＳ６に入る。
【０１３２】
この場合も、後述する図８（Ａ）、図８（Ｂ）に示すファイル再生処理においては、再生時間が経過するまでの間は、何度もステップＳ５に戻るようになっているため、ステップＳ５に戻って取得した現在の時刻が、先のステップＳ６において、時刻に合致するフォルダあるいはファイルがあると判断した時刻と一致することとなるが、再生指示部１０７は、既に現在の時刻に合致する時刻情報付ファイルを再生ファイルに設定しているので、ステップＳ６においては、合致するフォルダはないと判断し、ステップＳ９に移行する。
【０１３３】
ステップＳ９においては、既に再生ファイルを再生しているので、再生ファイルを再生したと判断して、ステップＳ１０に進み、再生サイクルを確認する。当該ファイルに設定されている再生モードがシングルモードである場合には、ステップＳ１３に移行して、デフォルト画像を表示した後、ステップＳ５に戻る。
【０１３４】
一方、ステップＳ１０において、再生サイクルとしてリピートモード（ループ）が設定されている場合には、ステップＳ１１をスキップしてステップＳ１２に進み、再生ファイルの再生を行う。そのあと、ステップＳ５に戻る。
【０１３５】
再生サイクルとしてリピートモード（ループ）が設定されている場合、ほかの時刻情報付フォルダあるいは時刻情報付ファイルに指定された時刻に到達し、ステップＳ７において、これらのフォルダあるいはファイルが再生フォルダあるいは再生ファイルとして設定されないかぎり、当該時刻情報付ファイルの再生を繰り返す。
【０１３６】
一方、ステップＳ４にて、時刻情報付フォルダあるいは時刻情報付ファイルがないと判断し、図７（Ｂ）のステップＳ２１に進んだ場合は、再生フォルダ内の全てのファイルを再生したかどうかを判断する。図７（Ａ）のステップＳ１において、再生フォルダとしてルートフォルダが設定されたばかりの場合、当然、全てのファイルを再生していないので、ステップＳ２４に進み、ファイルを再生する。その後、ステップＳ２１に戻り、ルートフォルダ内のファイルを全て再生するまで、ステップＳ２１、ステップＳ２４を繰り返す。ステップＳ２１からステップＳ２４に移行する処理を何度か繰り返し、再生フォルダ内、つまりルートフォルダ内の全てのファイルを再生した場合には、ステップＳ２２に進み、再生サイクルを確認する。
【０１３７】
ステップＳ２２において、再生サイクルとしてシングルモードが設定されている場合には、ステップＳ２５に移行して、デフォルト画像を表示した後、スライドショー再生を終了する。
【０１３８】
一方、ステップＳ２２において、再生サイクルとしてリピートモード（ループ）が設定されている場合には、ステップＳ２３に移行して、再生フォルダ、つまり、ルートフォルダにおける１番目のファイルを再生ファイルに設定し、ステップＳ２４に進み、再生フォルダの１番目のファイルの再生を行い、その後、ステップＳ２１に戻る。この場合、再生サイクルとしてリピートモード（ループ）が設定されている場合、再生フォルダであるルートフォルダ内の全ファイルの順次再生（スライドショー）を繰り返す。
【０１３９】
続いて、ステップＳ１２、ステップＳ２４の処理であるファイル再生処理について説明する。図８（Ａ）、図８（Ｂ）は、サブルーチンであるファイル再生処理の概要を示すフローチャートである。
【０１４０】
図８（Ａ）に示すように、ファイル再生処理においては、再生モードが確認され（ステップＳ３１）、画像・音別再生ではステップＳ３２に進み、画像・音同期再生では、図８（Ｂ）のステップＳ４２に進む。
【０１４１】
まず、画像・音別再生から説明する。ステップＳ３２では、再生ファイルに設定されている画像ファイルの再生（表示）を継続し、ステップＳ３３では、再生ファイルに設定されている音ファイルの再生を継続する。
【０１４２】
続くステップＳ３４では、再生時間が経過したかどうかが判断され、経過していない場合は、ステップＳ３８に移行する。一方、ステップＳ３４で、再生時間が経過したと判断すると、ステップＳ３５に進み、次の画像ファイルを再生する。そして、再生時間のカウンタをクリアし（ステップＳ３６）、再生時間のカウントを開始した後（ステップＳ３７）、ステップＳ３８に進む。再生順最後の画像ファイルであったり、時刻情報付ファイルの画像ファイルであったりして、次の画像ファイルが存在しない場合は、ステップＳ３５〜ステップＳ３７をスキップする。
【０１４３】
ステップＳ３８では、音ファイルの再生が完了したかどうかを判断する。音ファイルの再生が完了していない場合は、図７（Ａ）のメインルーチンのステップＳ５、もしくはステップＳ２１に戻る。一方、音ファイルの再生が完了していると判断すると、ステップＳ３９に進み、次の音ファイルを再生し、その後、図７（Ａ）のメインルーチンのステップＳ５、もしくはステップＳ２１に戻る。再生順最後の音ファイルであったり、時刻情報付ファイルの音ファイルであったりして、次の音ファイルが存在しない場合は、ステップＳ３９をスキップする。
【０１４４】
ここで、図７（Ａ）のステップＳ１、ステップＳ７で、再生フォルダが設定される、あるいは再生ファイルが設定されて始めてこのサブルーチンに入った場合は、ステップＳ３２，ステップＳ３３、ステップＳ３４、ステップＳ３８はスキップされ、ステップＳ３５において、１番目の画像ファイルを再生し、ステップＳ３９において、１番目の画像ファイルの再生する。
【０１４５】
例えば、図７（Ａ）のステップＳ１で、ルートフォルダが再生フォルダとして設定されて、図７（Ａ）のステップＳ１２、あるいは図７（Ｂ）ステップＳ２４にて、最初にこのサブルーチンに入った場合は、ステップＳ３５、ステップＳ３９においては、１番目の画像ファイル「image0001.jpg」、１番目の音ファイル「music0001.mp3」が再生される。
【０１４６】
次に、このサブルーチンに入ったときには、ステップＳ３４においては、１番目の画像ファイル「image0001.jpg」の再生を開始してから再生時間が経過したかどうかが判断され、ここで、経過したと判断すると、ステップＳ３５に進み、２番目の画像ファイル「image0002.jpg」が再生される。
【０１４７】
同様に、次にこのサブルーチンに入ったときには、ステップＳ３８においては、１番目の音ファイル「music0001.mp3」の再生が完了したかどうかが判断れ、ここで完了したと判断すると、ステップＳ３９に進み、２番目の音ファイル「music0002.mp3」が再生される。
【０１４８】
一方、画像・音同期再生の場合は、ステップＳ４１において、再生ファイルに設定されている画像ファイルの再生（表示）を継続し、ステップＳ４２では、再生ファイルに設定されている音ファイルの再生を継続する。
【０１４９】
続くステップＳ４３では、再生時間が経過したかどうかが判断され、経過していない場合は、図７（Ａ）のメインルーチンのステップＳ５、もしくは図７（Ｂ）のステップＳ２１に戻る。一方、ステップＳ４３で再生時間が経過したと判断すると、ステップＳ４４に進み、次の画像ファイルの再生を開始する。続いて、同じファイル番号（識別情報）をもつ音ファイルを検索し（ステップＳ４５）、同じファイル番号をもつ音ファイルがあるかどうかを判断する（ステップＳ４６）。ここで、ある場合は、同じファイル番号をもつ音ファイルの再生を開始し（ステップＳ４７）、ステップＳ４８に進む。一方、同じファイル番号をもつ音ファイルがない場合は、ステップＳ５０において、音出力なしの処理を行ったのち、ステップＳ４８に進む。ステップＳ４８では、再生時間のカウンタをクリアし、続いて、再生時間のカウントを開始し（ステップＳ４９）、その後、図７（Ａ）のメインルーチンのステップＳ５、もしくは図７（Ｂ）のステップＳ２１に戻る。なお、再生順最後の画像ファイルであったり、時刻情報付ファイルの画像ファイルであったりして、次の画像ファイルが存在しない場合は、ステップＳ４４〜ステップＳ４９をスキップする。
【０１５０】
ここで、図７（Ａ）のステップＳ１、ステップＳ７で、再生フォルダが設定される、あるいは再生ファイルが設定されて始めてこのサブルーチンに入った場合は、ステップＳ４１，ステップＳ４２、ステップＳ４３はスキップされ、ステップＳ４４において、１番目の画像ファイルを再生し、ステップＳ４５〜ステップＳ４６において、１番目の画像ファイルに対応付けられている音ファイルを検索し、ある場合は、ステップＳ４７にて、音ファイルを再生する。
【０１５１】
例えば、図７（Ａ）のステップＳ７で、図４（ｂ）のフォルダ「1710」が再生フォルダとして設定されて、図７のステップＳ１２にて、最初にこのサブルーチンに入った場合は、ステップＳ４４において、フォルダ「1710」における１番目の画像ファィル「image1710_1.jpg」が再生され、ステップＳ４５〜ステップＳ４７で、１番目の画像ファィル「image1710_1.jpg」に対応付けられた音ファイル「music1710_1.mp3」が選出され、再生される。
【０１５２】
次に、このサブルーチンに入ったときには、ステップＳ４３においては、１番目の画像ファイル「image1710_1.jpg」の再生を開始してから再生時間が経過したかどうかが判断され、ここで、経過したと判断すると、ステップＳ４４に進み、２番目の画像ファイル「image1710_2.jpg」が再生される。そして、ステップＳ４５〜ステップＳ４７で、２番目の画像ファィル「image1710_2.jpg」に対応付けられた音ファイル「music1710_2.mp3」が選出され、再生される。
【０１５３】
次に、このようなコンテンツ再生装置を利用するための、ユーザによるコンテンツの格納方法を図９、図１０を用いて説明する。ここでも、可搬型記録媒体１０内に時刻情報付のコンテンツを格納する例を挙げるが、ＨＤＤ１３１内に時刻情報付のコンテンツを格納する場合も同様である。
【０１５４】
ユーザは、図９に示すように、可搬型記録媒体１０のルートフォルダ内に、再生を指定する時刻情報をフォルダ名称につけたフォルダを作成し、この中に、その時刻に再生させたい画像ファイルおよび音ファイルを格納する。そして、格納したコンテンツの画像ファイル、音ファイルの名称に、再生順を指定する番号情報「_1,_2,_3…」等を含ませる。また、画像ファイルと一緒に再生させたい音ファイルには、識別情報が同じになるように、名称をつける。
【０１５５】
図９の例では、フォルダ名称が「1710」のフォルダに、「image1710_1.jpg」、「image1710_2.jpg」、「image1710_3.jpg」の３つの画像ファイルと、「music1710_1.mp3」、「music1710_2.mp3」ｍ「music1710_3.mp3」の３つの音ファイルを格納している。ここで、「1710_1」、「1710_2」、「1710_3」が、ファイル番号であり、識別番号、番号情報に相当する。
【０１５６】
また、フォルダ名称が「2030」のフォルダに、「image2030_1.jpg」、「image2030_2.jpg」、「image2030_3.jpg」の３つの画像ファイルと、「music2030_1.mp3」、「music2030_2.mp3」ｍ「music2030_3.mp3」の３つの音ファイルを格納している。ここで、「2030_1」、「2030_2」、「2030_3」が、ファイル番号であり、識別番号、番号情報に相当する。
【０１５７】
このような可搬型記録媒体１０をコンテンツ再生装置１００に挿入し、再生サイクルのリピートを選択すると、図１０に示すように、コンテンツ再生装置１００の時刻制御部１０６において、１７時１０分となると、自動的に、フォルダ「1710」内の画像ファイルが、「image1710_1.jpg」→「image1710_2.jpg」→「image1710_3.jpg」→「image1710_1.jpg」→「image1710_2.jpg」→…の順に繰り返し再生される。音ファイルも同様に、「music1710_1.mp3」→「music1710_2.mp3」→「music1710_3.mp3」→「music1710_1.mp3」→「music1710_2.mp3」→の順に繰り返し再生される。音ファイルの再生は、画像・音同期再生モードが選択されている場合は、画像ファイル「image1710_1.jpg」が再生されている間は、必ず、「music1710_1.mp3」が再生されることとなる。一方、画像・別同期再生モードが選択されている場合は、スタート時点では、画像ファイル「image1710_1.jpg」と「music1710_1.mp3」とが再生されるが、各音ファイルの再生時間に伴ってずれていく。
【０１５８】
そして、その後、コンテンツ再生装置１００の時刻制御部１０６において、２０時３０分となると、フォルダ「1710」のリピート再生が終了し、自動的に、フォルダ「2030」内の画像ファイルが、「image2030_1.jpg」→「image2030_2.jpg」→「image2030_3.jpg」→「image2030_1.jpg」→「image2030_2.jpg」→…の順に繰り返し再生される。音ファイルも同様に、「music2030_1.mp3」→「music2030_2.mp3」→「music2030_3.mp3」→「music2030_1.mp3」→「music2030_2.mp3」→の順に繰り返し再生される。この場合も、再生モードを選択することで、画像ファイルの再生タイミングと音ファイルの再生タイミングを変更することができる。
【０１５９】
なお、本実施形態では、時刻情報付フォルダを中心に記載してきたが、例えば図９に示す「1710」のフォルダに格納されている。「image1710_1.jpg」、「image1710_2.jpg」、「image1710_3.jpg」の３つの画像ファイルと、「music1710_1.mp3」、「music1710_2.mp3」ｍ「music1710_3.mp3」の３つの音ファイルを、ルートフォルダに直に格納してもよい。
【０１６０】
また、本実施形態では、複数の静止画をスライドショー再生するコンテンツ再生装置を例示したが、可搬型記録媒体１０や、ＨＤＤ１３０内に、時刻情報を名称に含めて格納された動画ファイルを、時刻情報の時刻に、自動再生するものであってもよいし、複数の動画ファイルを、時刻情報の時刻に、決まった再生時間ずつ連続再生させる構成など、種々のコンテンツ再生手法が考えられる。
（効果の説明）
以上のように、本実施形態のコンテンツ再生装置１００は、可搬型記録媒体１０やＨＤＤ１３０内に格納されているコンテンツのファイルの名称、あるいはコンテンツのファイルが格納されたフォルダの名称を参照して、時刻付再生対象検出部１１０が名称に時刻情報を含む時刻情報付ファイルあるいは時刻情報付フォルダを検出し、再生指示部１０７が、時刻付再生対象検出部１１０にて時刻情報付ファイルあるいは時刻情報付フォルダが検出されると、時刻情報付ファイルあるいは時刻情報付フォルダ内のファイルを、名称に含まれる時刻情報の時刻にスライドショー実行部１０３にて再生させる。
【０１６１】
したがって、可搬型記録媒体１０内やＨＤＤ１３０内のコンテンツのファイルの名称、あるいはコンテンツのファイルを格納したフォルダの名称に、コンテンツを再生させたい時刻情報を含めるだけで、ユーザの所望する指定の時刻に、可搬型記録媒体１０内やＨＤＤ１３０内のコンテンツを自動再生させることが可能となる。
【０１６２】
従来の構成では、ユーザの所望する指定の時刻に、可搬型記録媒体１０内のコンテンツを自動再生させるには、再生させたい時刻にその都度コンテンツ再生装置まで出向いて再生させたいコンテンツのフォルダやファイルを指定したり、可搬型記録媒体１０内のコンテンツを、コンテンツ再生装置のＨＤＤにダウンロードした上でスケジュール機能を使用したりする必要があった。しかも、ケジュール機能を用いてコンテンツを再生すること自体、手間のかかる設定が必要であり、ＨＤＤに格納されているコンテンツを含めて、もっと簡単に指定時刻に自動的に再生することが望まれていた。
【０１６３】
これに対し、上記構成では、ユーザに煩雑な作業を強いることなく、可搬型記録媒体１０やＨＤＤ１３１に格納される、再生させたいコンテンツのファイル名称を、時刻情報を含むように変更したり、名称に時刻情報を含むフォルダを作成し、このフォルダに再生させたいコンテンツのファイルを格納したりするといった作業だけで、ケジュール機能を用いたりすることなく、簡単に所望する時刻に、可搬型記録媒体１０やＨＤＤ１３１に格納されたコンテンツを自動再生させることができるので、コンテンツ再生装置としての利便性を大幅に向上させることができる。
【０１６４】
また、本実施形態では、コンテンツのファイルあるいはコンテンツのファイルが格納されたフォルダは、可搬型記録媒体１０やＨＤＤ１３１のルートフォルダ内の真下に格納されており、再生指示部１０７は、時刻付再生対象検出部１１０にて時刻情報付ファイルあるいは時刻情報付フォルダが検出されなかった場合や、時刻情報付ファイルや時刻情報付フォルダ内のファイルを、名称に含まれる時刻情報の時刻に再生するまでの間に、ルートフォルダ内の真下に格納されている、名称に時刻情報付を含まないコンテンツのファイルをスライドショー実行部１０３にて再生させるようになっている。
【０１６５】
これにより、可搬型記録媒体１０やＨＤＤ１３１のルートフォルダ内の真下に時刻情報付ファイルや時刻情報付フォルダが含まれていなかった場合や、時刻情報付ファイルや時刻情報付フォルダ内のファイルを再生する指定時刻に到達するまでの間にも、ルートフォルダ内のコンテンツのファイルが再生されるので、コンテンツ再生装置の利便性の向上が図れる。
【０１６６】
また、本実施形態では、時刻情報付フォルダ内、あるいは時刻情報付フォルダおよびルートフォルダ内のコンテンツのファイルの名称には、該当するフォルダ内のファイルの再生順を指定する番号情報が含まれており、ファイル再生順検出部１１５が、時刻情報付フォルダ内、あるいは時刻情報付フォルダおよびルートフォルダ内のファイルの名称を参照して、該当するフォルダ内のファイルの再生順を検出するようになっている。
【０１６７】
これにより、時刻情報付フォルダやルートフォルダ内に複数のコンテンツのファイルを格納しておき、これを順に再生させたい場合に、再生順も簡単に指定することが可能となり、静止画をスライドショー再生する場合など、スライドショー再生される静止画の順番を簡単に指定することができ、再生順の変更も容易に行うことができる。
【０１６８】
また、本実施形態では、時刻情報付フォルダ内、あるいは時刻情報付フォルダおよびルートフォルダ内には、コンテンツの画像ファイルと、これに対応付けられたコンテンツの音ファイルとが格納され、対応する画像ファイルと音ファイルの各名称には、互いを特定し得るファイル番号（識別情報）が含まれており、スライドショー実行部１０３は、再生する画像ファイルの名称を参照し、名称に含まれるファイル番号に基づいて、対応する音ファイルを選択し、画像ファイルに同期させて音ファイルを再生する、画像・音同期再生モードを有している。
【０１６９】
これにより、画像ファイルと共に再生したい音ファイルを、画像ファイルと同じ識別情報を名称に含めて格納しておくだけの簡単な作業で、画像のコンテンツそれぞれに対応する音のコンテンツを簡単につけることができる。また、画像のコンテンツに付ける音のコンテンツの変更も、所望の音ファイルを格納して名称を付けるだけで実施できるので、非常に簡単に画像のコンテンツに音のコンテンツを付けることができ、利便性を向上できる。
【０１７０】
また、本実施形態では、スライドショー実行部１０３は、時刻情報付フォルダ内、あるいは時刻情報付フォルダおよびルートフォルダ内のコンテンツのファイルを繰り返し再生するモードと、１回のみ再生するモードとを有しているので、さらに利便性を向上できる。
【産業上の利用可能性】
【０１７１】
本発明は、ＵＳＢメモリや、ＳＤ−ＣＡＲＤ、ＣＦ−ＣＡＲＤ、ＰＣＭＣＩＡ−ＣＡＲＤ、或いはＤＶＤ、ＢＤ等の可搬型記録媒体に格納されたコンテンツをはじめ、内蔵式や着脱式のＨＤＤ等の記憶装置に格納されたコンテンツを再生するコンテンツ再生装置に利用することができる。
【符号の説明】
【０１７２】
１０  可搬型記録媒体
１１  表示装置
１２  指示入力装置
１００  コンテンツ再生装置
１０１  入力部
１０３  スライドショー実行部（コンテンツ再生手段）
１０２  ルートフォルダ情報取得部
１０４  スライドショー情報管理部
１０５  時刻情報検出部
１０６  時刻制御部
１０７  再生指示部（再生指示手段）
１１０  時刻付再生対象検出部（時刻付再生対象検出手段）
１１１  画像・音同期再生処理部
１１５  ファイル再生順検出部（ファイル再生順検出手段）
１３０  ＨＤＤドライブ
１３１  ＨＤＤ（記憶装置）
【図１】
0005666257.tif 000002
【図２】
0005666257.tif 000003
【図３】
0005666257.tif 000004
【図４】
0005666257.tif 000005
【図５】
0005666257.tif 000006
【図６】
0005666257.tif 000007
【図７（Ａ）】
0005666257.tif 000008
【図７（Ｂ）】
0005666257.tif 000009
【図８（Ａ）】
0005666257.tif 000010
【図８（Ｂ）】
0005666257.tif 000011
【図９】
0005666257.tif 000012
【図１０】
0005666257.tif 000013